(57)【要約】【課題】操作性が良く、ケーブル接続部分の磨耗のおそれのない、耐久性の良い鉗子装置を提供することを目的とする。【解決手段】本発明の鉗子装置１は、把持部２と、スライド部３１および回転操作部３２を備えた操作部３と、インナーケーブル４と、アウターケーシング５と、操作部３の操作時に握持するためのグリップ部６と、樹脂コート部７とを備え、インナーケーブル４は、基端側がスライド部３１に回転不能に取り付けられ、先端側が把持部２に連結され、アウターケーシング５は、基端側が回転操作部３２に対して回転不能に取り付けられ、先端側が樹脂コート部７に対して回転可能かつ軸方向移動不能に係合され、スライド部３１が回転操作部３２に対して回転不能かつスライド自在に取り付けられ、回転操作部３２が、グリップ部６に対して回転可能に接続され、かつ、グリップ部６の基端側に設けられることを特徴とする。【選択図】図１
2014076227.tif 000002
【特許請求の範囲】
【請求項１】
体腔内組織を把持する開閉可能な鉗子片を備えた把持部と、
前記把持部の鉗子片を開閉操作するためのスライド部および前記把持部を回転操作するための回転操作部を備えた操作部と、
前記把持部と前記操作部との間に設けられ、前記操作部からの操作力を前記把持部に伝達するインナーケーブルと、
前記インナーケーブルを囲繞するアウターケーシングと、
前記操作部の操作時に握持するためのグリップ部と、
前記グリップ部から前記把持部側に向かって延び、内部に前記アウターケーシングを回転可能に収容する管状の樹脂コート部と
を備えた鉗子装置であって、
前記インナーケーブルは、基端側が前記スライド部に回転不能に取り付けられ、先端側が前記把持部に連結され、前記アウターケーシングは、基端側が前記回転操作部に対して回転不能に取り付けられ、先端側が前記樹脂コート部に対して回転可能かつ軸方向移動不能に係合され、
前記スライド部が前記回転操作部に対して回転不能かつスライド自在に取り付けられ、
前記スライド部をスライドさせることにより前記把持部の鉗子片を開閉し、
前記回転操作部を回転させることにより、前記インナーケーブルおよび前記アウターケーシングが軸線回りに回転して前記把持部が回転し、
前記回転操作部が、前記グリップ部に対して回転可能に接続され、かつ、前記グリップ部の基端側に設けられることを特徴とする鉗子装置。
【請求項２】
前記インナーケーブルまたはアウターケーシングに高周波電源端子が接続され、前記インナーケーブルまたはアウターケーシングが前記高周波電源端子より前記把持部へ高周波電流を通電可能な通電性を有することを特徴とする請求項１記載の鉗子装置。
【請求項３】
前記高周波電源端子が、前記グリップ部を貫通して前記アウターケーシングに接続される請求項２記載の鉗子装置。
【請求項４】
前記高周波電源端子が、前記回転操作部側に設けられ、前記インナーケーブルまたはアウターケーシングに高周波電源端子が接続された請求項２記載の鉗子装置。
【請求項５】
前記回転操作部が、前記スライド部をガイドするガイド部と、前記ガイド部よりも基端側に設けられ、回転操作をするために操作される回転部とを備えることを特徴とする請求項１〜４のいずれかに記載の鉗子装置。
【発明の詳細な説明】
【技術分野】
【０００１】
本発明は、鉗子装置に関する。さらに詳しくは、操作性が良く、ケーブル接続部分における磨耗のおそれがない、耐久性の良い鉗子装置に関する。
【背景技術】
【０００２】
従来、体腔内にできた患部等を把持するために、内視鏡を介して体内に挿入される鉗子装置が用いられてきた。このような鉗子装置は、患部を把持するための開閉可能な一対の鉗子片を有している。この鉗子片は、医師等が操作する手元側の操作部の操作力を、操作ワイヤにより伝達して、操作部から離れた患部において鉗子片を開閉し、患部を把持する。しかしながら、体腔内の患部において、鉗子片の開閉方向が患部の位置に対して適切でない場合がある。そのため、鉗子片を回転させる機構を備えた鉗子装置が用いられている。
【０００３】
このような鉗子片を回転させる機構として、特許文献１に開示された内視鏡処置具が知られている。図７および図８に示されるように、この内視鏡処置具１００は、体腔内組織に対して処置を行うための処置部１０１と、処置部１０１の基端に接続された操作ワイヤ１０２と、操作ワイヤ１０２と接続された、処置部１０１を操作するための操作部１０３と、処置部１０１と操作部１０３とを接続するための挿入部１０４とを備えている。処置部１０１は、図８に示されるように、第１鉗子部材１０１ａと第２鉗子部材１０１ｂとからなる一対の鉗子部材が、回動軸１０１ｃで互いに回動自在に連結され、回動軸１０１ｃよりも基端側には、操作ワイヤ１０２が接続されており、挿入部１０４内を通って操作部１０３に接続されている。挿入部１０４は、コイルシース１０４ａと、コイルシース１０４ａの外周を覆う絶縁チューブ１０４ｂとを備えている。
【０００４】
操作部１０３は、細長の本体１０５と、本体１０５に対して軸線まわりに回転自在に取り付けられた回転操作部１０６と、本体１０５に対して軸線方向に一定範囲摺動可能に取り付けられたスライダ１０７とを備えている。本体１０５の基端には、指掛用のハンドル１０８が設けられている。また、回転操作部１０６は、挿入部１０４の基端側が挿通される管状部材１０６ａと、管状部材１０６ａに相対回転不能に取り付けられたダイヤル部材１０６ｂとからなる。
【０００５】
このような構成を有する特許文献１の内視鏡処置具１００は、処置部１０１を回転させる場合、指掛用のハンドル１０８（図７参照）を持ち、ダイヤル部材１０６ｂを回転させると、ダイヤル部材１０６ｂに一体となった管状部材１０６ａと、管状部材１０６ａと一体となったコイルシース１０４ａが回転する。コイルシース１０４ａの先端側は、図８に示されるように、カバー１０９により処置部１０１と一体となっているため、コイルシース１０４ａの回転により、処置部１０１が回転する。処置部１０１が回転すると、操作ワイヤ１０２は処置部１０１により回転し、そのときに発生する操作ワイヤ１０２の回転ひずみを開放するために、操作ワイヤ１０２の基端側はスライダ１０７に対して回転可能に接続されている（図７において参照符号１０７Ａで示す位置）。
【先行技術文献】
【特許文献】
【０００６】
【特許文献１】特開２０１０−４２０５２号公報
【発明の概要】
【発明が解決しようとする課題】
【０００７】
特許文献１の内視鏡処置具１００は、上述の構成により、第１および第２鉗子部材１０１ａ、１０１ｂを有する処置部１０１を回転させ、患部の向きに対応している。しかしながら、特許文献１の内視鏡処置具１００では、処置部１０１を回転させるダイヤル部材１０６ｂが、ダイヤル部材１０６ｂを回転させるときに内視鏡処置具１００全体を支持するハンドル１０８よりも患者の体に近い側にある。そのため、ダイヤル部材１０６ｂの回転時に、内視鏡処置具１００の基端側（ハンドル１０８が設けられた位置）を軸とした揺動が生じやすい。さらに処置部１０１の第１および第２鉗子部材１０１ａ、１０１ｂを開閉させるために、スライダ１０７をスライドさせるときには、内視鏡処置具１００全体の揺動を防ぐために内視鏡処置具１００を持ちかえる必要がある。また、スライダ１０７をスライドさせるときに、回転操作部１０６を持ったままで操作すると、既に位置調節された処置部１０１が回転してしまうおそれがあるため、回転操作部１０６を持ったままスライド操作することができず、内視鏡処置具１００の揺動を防ぐことができない。
【０００８】
また、特許文献１の内視鏡処置具１００では、操作ワイヤ１０２の基端側がスライダ１０７に対して回転可能に接続されており、スライダ１０７との接続部分において、操作ワイヤ１０２の磨耗を防ぐ部材を用いなければ、操作ワイヤ１０２がスライダ１０７との相対回転により磨耗してしまい、磨耗を防ぐためには部品点数が増えてしまうという問題がある。
【０００９】
そこで、本発明はかかる問題に鑑みて、鉗子装置を操作するときに操作性が良く、ケーブル接続部分の磨耗のおそれのない、耐久性の良い鉗子装置を提供することを目的とする。
【課題を解決するための手段】
【００１０】
本発明の鉗子装置は、体腔内組織を把持する開閉可能な鉗子片を備えた把持部と、前記把持部の鉗子片を開閉操作するためのスライド部および前記把持部を回転操作するための回転操作部を備えた操作部と、前記把持部と前記操作部との間に設けられ、前記操作部からの操作力を前記把持部に伝達するインナーケーブルと、前記インナーケーブルを囲繞するアウターケーシングと、前記操作部の操作時に握持するためのグリップ部と、前記グリップ部から前記把持部側に向かって延び、内部に前記アウターケーシングを回転可能に収容する管状の樹脂コート部とを備えた鉗子装置であって、前記インナーケーブルは、基端側が前記スライド部に回転不能に取り付けられ、先端側が前記把持部に連結され、前記アウターケーシングは、基端側が前記回転操作部に対して回転不能に取り付けられ、先端側が前記樹脂コート部に対して回転可能かつ軸方向移動不能に係合され、前記スライド部が前記回転操作部に対して回転不能かつスライド自在に取り付けられ、前記スライド部をスライドさせることにより前記把持部の鉗子片を開閉し、前記回転操作部を回転させることにより、前記インナーケーブルおよび前記アウターケーシングが軸線回りに回転して前記把持部が回転し、前記回転操作部が、前記グリップ部に対して回転可能に接続され、かつ、前記グリップ部の基端側に設けられることを特徴とする。
【００１１】
また、前記インナーケーブルまたはアウターケーシングに高周波電源端子が接続され、前記インナーケーブルまたはアウターケーシングが前記高周波電源端子より前記把持部へ高周波電流を通電可能な通電性を有することが好ましい。
【００１２】
また、前記高周波電源端子が、前記グリップ部を貫通して前記アウターケーシングに接続されることが好ましい。
【００１３】
また、前記高周波電源端子が、前記回転操作部側に設けられ、前記インナーケーブルまたはアウターケーシングに高周波電源端子が接続されることが好ましい。
【００１４】
また、前記回転操作部が、前記スライド部をガイドするガイド部と、前記ガイド部よりも基端側に設けられ、回転操作をするために操作される回転部とを備えることが好ましい。
【発明の効果】
【００１５】
本発明によれば、鉗子装置を医師等が操作するときに操作性が良く、鉗子装置内に設けられたインナーケーブルの接続部分に磨耗のおそれのない、耐久性の良い鉗子装置を提供することができる。
【図面の簡単な説明】
【００１６】
【図１】本発明の鉗子装置を示す全体図である。
【図２】本発明の鉗子装置のうち、操作部およびグリップ部を示す部分拡大断面図である。
【図３】本発明の鉗子装置のうち、把持部の接続状態を示す部分拡大断面図である。
【図４】本発明の鉗子装置に用いられる高周波電源端子の取付位置を説明するための概念図である。
【図５】本発明の鉗子装置に用いられる高周波電源端子の取付位置を説明するための概念図である。
【図６】本発明の鉗子装置に用いられる高周波電源端子の取付位置を説明するための概念図である。
【図７】従来の鉗子装置の全体図である。
【図８】従来の鉗子装置の処置部を示す拡大断面図である。
【発明を実施するための形態】
【００１７】
以下、添付図面を参照し、本発明の鉗子装置を詳細に説明する。
【００１８】
図１に示されるように、本発明の鉗子装置１は、体腔内組織を把持する開閉可能な鉗子片２１、２２を備えた把持部２と、把持部２の鉗子片２１、２２を開閉操作するためのスライド部３１および把持部２を回転操作するための回転操作部３２を備えた操作部３とを備えている。把持部２と操作部３との間には、操作部３からの操作力を把持部２に伝達するインナーケーブル４が設けられている。インナーケーブル４の周りには、図２および図３に示されるように、インナーケーブル４を囲繞するアウターケーシング５が設けられ、操作部３から把持部２までインナーケーブル４を案内している。また、操作部３の先端側には、操作部３の操作時に、医師等の施術者が握持するためのグリップ部６と、グリップ部６から把持部２側に向かって延び、内部にアウターケーシング５を回転可能に収容する管状の樹脂コート部７とを備えている。なお、本明細書において、「先端」という場合は、各部材のうち、鉗子装置１を操作する医師等の施術者から遠い側（すなわち、把持部２の自由端側）をいい、「基端」という場合は、各部材のうち、鉗子装置１を操作する医師等の施術者に近い側（すなわち、回転操作部３２の自由端側）の方向をいう。
【００１９】
本発明の鉗子装置１は、内視鏡（図示せず）に挿入されて体腔内に導入され、患部などの体腔内組織を、鉗子片２１、２２を遠隔操作することにより把持し、たとえば、高周波電流を鉗子片２１、２２に流して体腔内組織の焼灼止血などをする。詳細については後述するが、このような操作時において、把持部２の鉗子片２１、２２の向きが患部の向きに対して適切でない場合には、操作部３を回転操作すると把持部２が回転し、把持部２の向きを適切な向きに容易に調整することができ、患部の場所、向きに応じた処置を施すことができる。
【００２０】
図１および図３に示されるように、鉗子装置１の先端側に設けられた把持部２は、体腔内組織を把持する部位であり、一対の鉗子片２１、２２が、把持部ハウジング２４に設けられた回転軸２３を中心に回転可能に構成され、鉗子片２１、２２は操作部３の操作に応じて開閉する。図１および図３に示されるように、鉗子片２１、２２は、インナーケーブル４の引き操作がリンク機構Ｌにより開閉動作に変換され、開閉するように構成されている。このようなリンク機構Ｌとしては、公知のものを用いることができるので、用途や所望の作動動作に応じて適宜採用することできるために詳細には説明しない。なお、鉗子片２１、２２を開閉させるためには、リンク機構Ｌを用いる必要はなく、インナーケーブル４の操作力を鉗子片２１、２２の開閉動作に変換できる機構であれば、他の機構であっても構わない。また、図１および図３に示す実施形態では、１本のインナーケーブル４により鉗子片２１、２２が操作されるように構成されているが、２本のインナーケーブルにより鉗子片２１、２２が操作されるようにしてもよい。
【００２１】
把持部２を操作する操作部３は、図１に示されるように、医師等の施術者により回転操作される回転操作部３２と、インナーケーブル４を操作するスライド部３１とを備えている。回転操作部３２は、施術者が把持部２を回転させるときに回転操作を加える部位である。図１に示す回転操作部３２は、細長い略円筒状の回転操作部本体３２ａと、スライド部３１をガイドするガイド部３２ｃと、ガイド部３２ｃよりも基端側に設けられ、回転操作をするために操作される回転部３２ｂとを備えている。図１においては、ガイド部３２ｃは、本体３２ａの軸方向に長さを有し、回転操作部本体３２ａに設けられた貫通したスリットとして示されている。回転部３２ｂは、リング状部材として示されているが、その形状は限定されるものではない。スライド部３１は、例えば内側に設けられた凸部がガイド部と摺動可能に嵌合するような態様が採用されるなど、回転操作部３２に対して回転不能かつスライド自在に取り付けられる。スライド部３１は、操作しやすいようにフランジ部３１ａ、３１ｂを有したボビン形状を有し、施術者の操作に伴ってガイド部３２ｃの先端側、基端側の間を往復動作できるように構成されている。
【００２２】
回転操作部３２およびスライド部３１の形状は、施術者が操作することができる形状であれば、図１に示す形状に限られることはなく、様々な形状とすることができる。また、回転操作をするために施術者が持つ部位（回転部３２ｂ）は、図１に示すリング状部材として示された回転部３２ｂの位置であってもよいし、回転操作部本体３２ａの位置（すなわち、回転操作部本体３２ａを持って回転させる場合は、図１中、参照符号３２ａの位置が回転部となる）であってもよい。
【００２３】
また、図１および図２に示されるように、本発明の鉗子装置１は、グリップ部６を有し、回転操作部３２が、グリップ部６に対して回転可能に接続され、かつ、グリップ部６の基端側に設けられている。グリップ部６は、回転操作部３２を施術者が操作するときに握持する部位である。グリップ部６は、インナーケーブル４およびアウターケーシング５を挿通するための挿通孔６ａを有しており、挿通孔６ａ内で、インナーケーブル４を収容したアウターケーシング５が回転できるように構成されている。回転操作部３２とグリップ部６との間の接続は、図２に示されるように、回転操作部３２がグリップ部６に対して軸方向に移動しないように係合して接続されている。このような係合は、たとえば、回転操作部３２の回転操作部本体３２ａに、円盤状の空洞３２ｄを形成し、当該円盤状の空洞３２ｄにグリップ部６の円盤状の突出部６ｂを係合させることにより、回転可能に接続することができる。なお、回転操作部３２とグリップ部６との接続は、図２に示す構造に限られず、回転操作部３２がグリップ部６に対して回転可能であれば、他の構造であっても構わない。
【００２４】
また、図１および図２に示す実施形態では、グリップ部６に高周波電源端子８が設けられている。高周波電源端子８は、グリップ部６に設けられた差込口６ｃ内に設けられている。高周波電源端子８は、図１および図２においてはグリップ部６に設けられているが、後述するように、回転操作部３２に設けてもよい。高周波電源端子８は、インナーケーブル４またはアウターケーシング５に接続され、インナーケーブル４またはアウターケーシング５が高周波電源端子８より把持部２へ高周波電流を通電可能な通電性を有することにより把持部２の鉗子片２１、２２に高周波電流を通電し、鉗子片２１、２２により把持した患部を焼灼することができる。なお、高周波電源端子８は、図示しない高周波電源にコードを介して接続される。インナーケーブル４またはアウターケーシング５が通電性を有するための構成は公知であるため、構造についての説明は省略する。
【００２５】
高周波電流がインナーケーブル４またはアウターケーシング５に流れるため、図２に示されるように、グリップ部６の先端側には、絶縁性の樹脂コート部７が取り付けられ、患部以外の体腔内の組織に高周波電流が流れないようにされている。樹脂コート部７は可撓性を有し、体腔内をスムーズに移動できるように構成されている。
【００２６】
次に、インナーケーブル４およびアウターケーシング５の他の部材との接続関係について説明する。図２および図３に示されるように、インナーケーブル４は、基端側がスライド部３１に回転不能に取り付けられ、先端側が把持部２に連結されている。したがって、スライド部３１をスライドさせることによりインナーケーブル４が操作され、把持部２の鉗子片２１、２２が開閉される。具体的には、インナーケーブル４は、接着やそれ以外の公知の固着手段により、スライド部３１に対して一体的に取り付けられ、スライド部３１に対してインナーケーブル４が軸周りに回転しないように構成されている。これにより、回転操作部３２がグリップ部６に対して回転し、それに伴いスライド部３１が回転した場合であっても、スライド部３１とインナーケーブル４との間で相対回転が生じない。したがって、回転操作時に、スライド部３１とインナーケーブル４との間の接続部分において摩擦が生じず、インナーケーブル４の磨耗が生じることがない。インナーケーブル４の先端側は、図３に示されるように、リンク機構Ｌを介して鉗子片２１、２２と接続され、スライド部３１が操作されることにより、鉗子片２１、２２が開閉操作される。
【００２７】
また、アウターケーシング５は、基端側が回転操作部３２に対して回転不能に取り付けられ、先端側が樹脂コート部７に対して回転可能かつ軸方向移動不能に係合されている。また、アウターケーシング５内には、インナーケーブル４が摺動可能に収容されており、湾曲部分がある体腔内においても、インナーケーブル４の操作力を把持部２側に伝達することができる。アウターケーシング５は、接着やそれ以外の公知の固着手段により、回転操作部３２に対して一体的に取り付けられ、回転操作部３２に対してアウターケーシング５が軸周りに回転しないように構成されている。また、アウターケーシング５は、グリップ部６に対して固定されておらず、グリップ部６内で回転可能に構成されている。また、図３に示されるように、樹脂コート部７の先端側に設けられ、内周側に突出した係合部７１と、アウターケーシング５の先端側に設けられた段部５１により係合している。アウターケーシング５と樹脂コート部７との間の係合は、アウターケーシング５が樹脂コート部７内を回転することができ、アウターケーシング５が樹脂コート部７に対して軸方向に移動不能であれば、どのような構造であってもよい。また、アウターケーシング５の先端部は、図３に示されるように、把持部２の把持部ハウジング２４に固定されている。把持部ハウジング２４と樹脂コート部７とは互いに回転可能に構成される。
【００２８】
上述の構成により、回転操作部３２を回転させることにより、インナーケーブル４およびアウターケーシング５が軸線回りに回転する。そして、インナーケーブル４およびアウターケーシング５が軸線回りに回転すると、把持部２が回転し、鉗子片２１、２２の体腔内での向きを調整することができる。回転操作部３２の回転により、インナーケーブル４とアウターケーシング５とがともに回転するため、インナーケーブル４とアウターケーシング５との間で相対的な回転が生じない。したがって、インナーケーブル４とアウターケーシング５との間で生じる回転方向の摩擦抵抗が加わらず、インナーケーブル４とアウターケーシング５の回転とが同期するため、把持部２を正確に操作することができる。
【００２９】
次に、図４〜図６に示した模式図を参照し、高周波電源端子８を設ける位置について説明する。図４は、高周波電源端子８が、回転操作部３２側に設けられ、インナーケーブル４に高周波電源端子８が接続されている。図４に示す実施形態の場合は、スライド部３１の操作により、インナーケーブル４が高周波電源端子８に対して軸方向に移動するため、たとえば滑り接触等の接触式の高周波電源端子８を用いることができる。図５は、高周波電源端子８が、回転操作部３２側に設けられ、アウターケーシング５に高周波電源端子８が接続されている。図５に示す実施形態では、高周波電源端子８とアウターケーシング５との間で、軸方向、周方向での相対移動が生じないため、高周波電源端子８、アウターケーシング５に磨耗を生じることがない。図６は、高周波電源端子８が、グリップ部６を貫通してアウターケーシング５に接続されている。図６に示す実施形態の場合は、把持部２を回転させるために回転操作部３２を回転しても、グリップ部６は回転しないため、高周波電源端子８が軸回りに回転することがない。したがって、高周波電源端子８と高周波電源とをつなぐコードが回転等により絡まることがないため、施術者が操作しやすい。また、高周波電源端子８の位置が、鉗子装置１を内視鏡に挿入した初期位置から変わることがない（回転方向の位置が変わらず、初期位置で上を向いていた高周波電源端子８が、コードをつなぐ段階で回転して、下を向いていたりすることがない）。したがって、施術者がコードをつなぐうえで、常に操作しやすい位置に高周波電源端子８を維持することができる。なお、アウターケーシング５は高周波電源端子８に対して相対的に回転するため、接触式の高周波電源端子８等、相対回転したときに導電性を維持する機構を用いることができる。
【００３０】
つぎに本発明の鉗子装置１の動作について説明する。
【００３１】
まず、施術者は、スライド部３１を操作して、把持部２の鉗子片２１、２２を閉じた状態とし、図示しない内視鏡に挿入し、体腔内の患部がある位置まで、把持部２を移動させる。
【００３２】
患部の位置まで把持部２が移動すると、内視鏡で確認しながら、グリップ部６を握持して、回転操作部３２を操作して、把持部２の向きを変える。グリップ部６は、患者の体に近い位置にあり、力が加わる回転操作部３２は、グリップ部６よりも施術者側にある。ここで、回転操作部３２とグリップ部６が本発明と逆の位置関係、すなわち、グリップ部６が基端側（施術者の手元側）にあり、回転操作部３２が先端側（患者の体に近い側）にある場合、回転操作時に、施術者の手元側を軸として、先端側で回転操作部３２の操作により揺動が生じ、その揺動が患者の体や、内視鏡に伝わってしまう。しかしながら、本発明の構造によれば、患者の体に近い側にあるグリップ部６がしっかりと握持され、回転操作部３２に力が加わり、操作力が加わる回転操作部３２の部分でグリップ部６を軸とした揺動が生じたとしても、その揺動は回転操作部３２よりも患者の体に近い側で握持されたグリップ部６により抑えられる。したがって、患者の体や鉗子装置１が挿入される内視鏡に揺動が伝わらず、患者に負担がかかることがない。
【００３３】
把持部２の回転は、たとえば、回転操作部３２の回転部３２ｂを回転させることにより行われる。回転操作部３２が回転すると、回転操作部３２に対して回転不能に取り付けられたスライド部３１も回転する。回転操作部３２とスライド部３１が一体となって回転すると、回転操作部３２に回転不能に取り付けられたアウターケーシング５と、スライド部３１に回転不能に取り付けられたインナーケーブル４とが、回転操作部３２、スライド部３１と一体となってともに回転する。アウターケーシング５とインナーケーブル４とが回転すると、鉗子装置１の先端側において、アウターケーシング５とインナーケーブル４が連結された把持部２が回転する。この回転操作時において、インナーケーブル４は先端側、基端側ともに、スライド部３１と把持部２に対して相対回転することなく固定されているため、相対回転することによる摩擦が生じないため、インナーケーブル４に磨耗が生じることがない。
【００３４】
つぎに、患部を把持できるように、回転操作により把持部２を操作した後、スライド部３１をスライドさせ、インナーケーブル４を操作し、把持部２の鉗子片２１、２２を開く。鉗子片２１、２２が開くと、鉗子片２１、２２の間に患部が来るように鉗子装置１全体を操作し、再度、スライド部３１を逆方向にスライドさせ、鉗子片２１、２２を閉じて、患部を把持する。本発明の鉗子装置１では、上記回転操作から患部を把持するまで、施術者が手を持ちかえずに操作をすることができる。すなわち、グリップ部６をたとえば左手で握持して、右手で回転操作部３２を回転することができ、スライド部３１が回転操作部３２に設けられ、片手で届く範囲に設けられているので、そのまま右手でスライド部３１を操作することができる。また、回転操作時だけでなく、スライド操作時においても、グリップ部６が患者の体に近い側で握持されているので、スライド動作による揺動も防ぐことができる。したがって、鉗子装置１の操作が非常に容易であり、患者に負担がかかることがない。
【００３５】
患部が鉗子片２１、２２により把持されると、患部を焼灼するために、高周波電源端子８にコードを介して高周波電源を接続した後、高周波電流を鉗子片２１、２２に流して患部が焼灼される。このとき、グリップ部６に高周波電源端子８が設けられていることにより、把持部２の回転操作をした場合であっても、高周波電源端子８の位置が初期位置から変わることがない。したがって、施術者がコードを接続しやすい位置に高周波電源端子８を維持することができるため、施術者が操作しやすくなる。
【００３６】
上述のように、本発明の鉗子装置１は、鉗子装置１を医師等の施術者が操作するときに操作性が良く、鉗子装置１内に設けられたインナーケーブル４の接続部分に磨耗のおそれもなく、患者にも負担がかかることがない。
【符号の説明】
【００３７】
１  鉗子装置
２  把持部
２１、２２  鉗子片
２３  回転軸
２４  把持部ハウジング
３  操作部
３１  スライド部
３１ａ、３１ｂ  フランジ部
３２  回転操作部
３２ａ  回転操作部本体
３２ｂ  回転部
３２ｃ  ガイド部
３２ｄ  空洞
４  インナーケーブル
５  アウターケーシング
５１  段部
６  グリップ部
６ａ  挿通孔
６ｂ  突出部
６ｃ  差込口
７  樹脂コート部
７１  係合部
８  高周波電源端子
Ｌ  リンク機構
【図１】
2014076227.tif 000003
【図２】
2014076227.tif 000004
【図３】
2014076227.tif 000005
【図４】
2014076227.tif 000006
【図５】
2014076227.tif 000007
【図６】
2014076227.tif 000008
【図７】
2014076227.tif 000009
【図８】
2014076227.tif 000010